(57)【要約】【課題】緯入れ方向における経糸の一部のピッチが他のピッチより広く形成されている領域をもつ織機において、経糸のピッチが広がるのを規制することで筬羽の緯入れ方向の広がりを防ぎ、経筋が発生するのを防止する。【解決手段】シート状の多数の経糸（２）の緯入れ方向における一部のピッチが他のピッチより広く形成されている領域をもつ織機（１）において、経糸（２）のピッチを縮小する方向に規制するために、少なくとも前記領域の緯入れ方向に対応する部分に設けられ、上下方向に延在する複数の規制片（１７）を有する経糸規制部材（１２）を備える。【選択図】図１
2006097200.tif 000002
【特許請求の範囲】
【請求項１】
シート状の多数の経糸（２）の緯入れ方向における一部のピッチが他のピッチより広く形成されている領域をもつ織機（１）において、
少なくとも前記領域の緯入れ方向に対応する部分に設けられ、経糸（２）のピッチを縮小する方向に規制する経糸規制部材（１２）であって、
上下方向に延在する複数の規制片（１７）を有することを特徴とする経糸規制部材（１２）を備えた織機（１）。
【請求項２】
前記経糸規制部材（１２）に固定されている規制片（１７）の上下方向の経糸通過範囲における緯入れ方向に対する曲げ強度は筬羽とほぼ同じか筬羽以上であることを特徴とする経糸規制部材（１２）を備えた請求項１記載の織機（１）。
【請求項３】
前記シート状の多数の経糸（２）の内、一部の経糸（２）のピッチが他のピッチより広く決定づける部材を備え、
前記経糸規制部材（１２）に固定されている複数の規制片（１７）のピッチは前記筬羽のピッチ以上で、かつ前記部材により決定づけられる一部のピッチよりも小さいことを特徴とする請求項１又は２に記載の織機（１）。
【請求項４】
前記経糸規制部材（１２）の経糸方向における取付位置を筬（５）と綜絖枠（１４）との間とすることを特徴とする経糸規制部材（１２）を備えた請求項１から３のいずれか１項に記載の織機（１）。
【請求項５】
前記経糸規制部材（１２）は、各規制片（１７）の上下のうちいずれかの端部を支持するベース（１６）を備え、各規制片（１７）間の上下のいずれか一方は開放されていることを特徴とする経糸規制部材（１２）を備えた請求項１から４のいずれか１項に記載の織機（１）。
【請求項６】
前記経糸規制部材（１２）は、経糸（２）の外側に移動可能なことを特徴とする経糸規制部材（１２）を備えた請求項１から５のいずれか１項に記載の織機（１）。
【発明の詳細な説明】
【技術分野】
【０００１】
本発明は、シート状の多数の経糸の緯入れ方向における一部のピッチが他のピッチより広く形成されている領域をもつ織機において、前記領域に対応する筬羽の緯入れ方向の広がりによる織布の経筋を防止する技術に関する。
【背景技術】
【０００２】
ツインビームの境目等緯入れ方向におけるシート状の経糸の一部のピッチが他のピッチより広い領域では、経糸のピッチが広がることによって、各経糸に織機外側方向への力が生じるため、経糸が通過する隣接した筬羽がそれぞれ織機外側方向に広がってしまい、上記領域に対応する筬羽のピッチが上記領域以外のピッチより広がった状態になる。この状態で製織すると、上記領域に対応する織布部分に経筋が発生してしまい織布の品質が低下してしまう。
【特許文献１】特開平０６−５７５８８
【発明の開示】
【発明が解決しようとする課題】
【０００３】
したがって本発明の課題は、経糸のピッチが広がるのを規制することで筬羽の緯入れ方向の広がりを防ぎ、経筋が発生するのを防止することである。
【課題を解決するための手段】
【０００４】
上記課題のもとに、本発明は、シート状の多数の経糸の緯入れ方向における一部のピッチが他のピッチより広く形成されている領域をもつ織機において、経糸のピッチを縮小する方向に規制するために、上下方向に延在する複数の規制片を有する経糸規制部材を、少なくとも前記領域の緯入れ方向に対応する部分に設けている（請求項１）。
【０００５】
そして本発明は、前記経糸規制部材に固定されている規制片の上下方向の経糸通過範囲における緯入れ方向に対する曲げ強度を筬羽とほぼ同じか筬羽以上とし（請求項２）、さらに前記シート状の多数の経糸の内、一部の経糸のピッチが他のピッチより広く決定づける部材を備え、前記経糸規制部材に固定されている複数の規制片のピッチは前記筬羽のピッチ以上で、かつ前記部材により決定づけられる一部のピッチよりも小さいとしている（請求項３）。
【０００６】
また、本発明は、前記経糸規制部材の経糸方向における取付位置を筬と最も巻取側の（第１番目の）綜絖枠との間とし（請求項４）、さらに前記経糸規制部材は、各規制片の上下のうちいずれかの端部を支持するベースを備え、各規制片間の上下のいずれか一方は開放している（請求項５）。
【０００７】
また、本発明の前記経糸規制部材は、経糸の外側に移動可能としている（請求項６）。
【発明の効果】
【０００８】
本発明によると、多数のシート状の経糸の緯入れ方向における一部のピッチが他のピッチより広く形成されている領域をもつ織機において、経糸のピッチを縮小する方向に規制する経糸規制部材であって、上下方向に延在する複数の規制片を有する経糸規制部材を、少なくとも前記領域の緯入れ方向に対応する部分に設けているから、経糸規制部材に経糸を通過させることによって、少なくとも前記領域の経糸は規制片によって縮小されたピッチに規制されるため、前記領域における筬羽のピッチの広がりを抑制または防止することができる。よって、前記領域に対応する経筋を防止することができる（請求項１）。
【０００９】
経糸規制部材に固定されている規制片の上下方向の経糸通過範囲における緯入れ方向に対する曲げ強度は筬羽とほぼ同じか筬羽以上であるから、規制片が経糸からの力によって変形せず、筬羽の筬羽のピッチの広がりを規制片の広がり以下とすることができる（請求項２）。
【００１０】
シート状の多数の経糸の内、一部の経糸のピッチが他のピッチより広く決定づける部材を備え、経糸規制部材に固定されている複数の規制片のピッチは筬羽のピッチ以上で、かつ前記部材により決定づけられる一部のピッチよりも小さいので、筬羽のピッチが広がるのを防止できる（請求項３）。
【００１１】
経糸規制部材の経糸方向における取付位置を筬と綜絖枠との間とするから、経糸方向において綜絖枠から送出側詳細にはワープビームまでのどの位置から経糸ピッチが拡がっていても、筬の位置までには確実に経糸ピッチを規制することができる。例えばツインビームの境目や綜絖枠に設けられたセンターステーによる経筋等に効果がある（請求項４）。
【００１２】
経糸規制部材は、各規制片の上下のうちいずれかの端部を支持するベースを備え、各規制片間の上下のいずれか一方は開放されているから、経糸を織機にかけたまま経糸規制部材を抜き差しでき、経糸の補修を容易に行える（請求項５）。
【００１３】
経糸規制部材は、経糸の外側に移動可能となっているから、経糸補修時には経糸シートから経糸規制部材を退避させることによって、経糸の補修を容易に行える（請求項６）。
【発明を実施するための最良の形態】
【００１４】
図１および図２は、水噴射式の織機１においてリードカーテン１１に経糸規制部材１２を設けた例を示している。ここで図１は経糸規制部材を備えた織機１の側面図、図２は巻取側からみた綜絖枠１４の周辺の断面図を示している。
【００１５】
図示しない経糸送出装置から送り出されたシート状の多数の経糸２は、綜絖４によって開口を形成する。緯糸３は、経糸２の開口内に緯入れされ、筬５により織り前６に筬打ちされて織布７となる。織布７はガイドローラ８に案内されて図示しない巻取りロールに巻き取られる。綜絖４の巻取側には綜絖枠１４に水が入るのを防止するリードカーテン１１が設けられている。リードカーテン１１は、織機フレーム９に固定されたレール１０に上下移動可能に取り付けられ、ストッパ１０ａにより所定の位置に固定できるようになっている。
【００１６】
綜絖枠１４は駆動ロッド１５によって上下運動し、経糸２を開口する。綜絖枠１４は、例えば広幅のものを用いた場合にその下枠体の変形防止のために、枠内に緯入れ方向の幅寸法が経糸のピッチよりも大きく、上下方向に延在する補助的なステー（支持部材）を装着する。例えば中心位置に筬羽のピッチよりも大きな幅寸法のセンターステー１８を有している。このセンターステー１８の取付部分には綜絖４を配置できないため、この部分の緯入れ方向における経糸２のピッチが他のピッチ（センターステー１８のない部分）より広く形成されている。このように織機１は、センターステー１８の部分で、多数の経糸２の緯入れ方向におけるピッチが他のピッチより広く形成されている領域をもつことになる。この場合はセンターステー１８両側の綜絖４により、上記領域の経糸（２）のピッチが他のピッチより広く決定づけられる。
【００１７】
そこで、経糸規制部材１２は、前記のような、経糸２のピッチが広い領域の緯入れ方向に対応する部分に設けられ、経糸のピッチを規制し、前記領域における筬羽のピッチの広がりを抑制または防止する。
【００１８】
より詳細には、経糸規制部材１２は、複数の規制片１７と、各規制片１７の上端部を支持するベース１６を備えている。経糸規制部材１２（複数の規制片１７）の緯入れ方向の取付位置は、経糸２のピッチが広い領域、すなわちセンターステー１８近傍である。また、経糸規制部材１２（複数の規制片１７）の経糸方向における取付位置は、筬５と最も巻取側の（第１番目の）綜絖４（綜絖枠（１４））との間となるようにする。ここでは、経糸規制部材１２（複数の規制片１７）は、リードカーテン１１の下側先端にベース１６とねじ１３によって取り付けられている。
【００１９】
複数の規制片１７は、緯入れ方向に所定のピッチでベース１６に上端を固定され、下端は開放されて櫛形状を形成している。規制片１７のピッチは、筬５の筬羽のピッチ以上でかつセンターステー１８の幅寸法詳細にはセンターステー１８の両側の綜絖のピッチより小さいことを要するが、ここでは筬羽と同じピッチとしている。規制片１７のひとつの間隔に１本の経糸２が入り、これにより、他の部分よりも広くなっている経糸２のピッチを縮小する方向に規制する。
【００２０】
ここで、規制片１７の上下方向の経糸通過範囲において緯入れ方向に対する規制片１７の曲げ強度は筬５の筬羽とほぼ同じか筬羽以上に強くなっている。
【００２１】
なお、経糸規制部材１２（ベース１６、規制片１７）は、前記のようにねじ１３を介してリードカーテン１１に取り付けられているから、経糸２の補修時には経糸規制部材１２をリードカーテン１１ごと経糸２の外側上方に移動させるか、ねじ１３をはずしてリードカーテン１１から取り外す。なお、図２において、実際には、綜絖４は綜絖枠１４の全幅に設けられており、そのピッチは通常３ｍｍ以下である。なお、筬５に設けられた筬羽のピッチは通常２ｍｍ以下である。また、経糸規制部材１２を綜絖枠１４（経糸２）の全幅にわたって設けても良い。
【００２２】
次に図３および図４は、水噴射式の織機１においてヘルドカバー１９に経糸規制部材１２を設けた例を示している。ここで、図３は経糸規制部材を備えた織機１の側面図、図４は巻取側からみた綜絖枠１４の周辺の断面図を示している。ヘルドカバー１９は綜絖４の巻取側で織機フレーム９に固定されており、綜絖枠１４に水が飛散するのを防止している。
【００２３】
綜絖枠１４は枠内に緯入れ方向の幅寸法が経糸のピッチよりも大きい部材を装着した場合は、例えば、複数のミドルフック２３を有し、ミドルフック２３の取付部分には綜絖４が配置されていないため、この部分の綜絖４すなわち緯入れ方向における経糸２のピッチがミドルフック２３のない部分に比べて広く形成されている。このため織機１は、ミドルフック２３の部分で、多数の経糸２の緯入れ方向におけるピッチが他のピッチより広く形成されている領域をもつことになる。この場合はミドルフック２３両側の綜絖４により、上記領域の経糸（２）のピッチが他のピッチより広く決定づけられる。綜絖４、ミドルフック２３、規制片１７は、綜絖枠１４の全幅に対して設けられているが一部図示を省略している。綜絖枠１４は、その上下に綜絖支持部材２２を有し、綜絖支持部材２２は複数のミドルフック２３により支持されている。綜絖４は上下の綜絖支持部材２２にかけ渡して取り付けられている。
【００２４】
経糸規制部材１２は、規制片１７と、各規制片１７の下端部を支持するベース１６を備えている。経糸規制部材１２はヘルドカバー１９の上方にねじ２０によって取り付けられ、経糸規制部材１２（複数の規制片１７）の経糸方向における取付位置は、筬５と最も巻取側の（第１番目の）綜絖４（綜絖枠（１４））との間となるようなっている。経糸規制部材１２は櫛形状を有し、上側が開放されるように上方向に延在する複数の規制片１７を緯入れ方向に所定のピッチで有している。そして開放側を上方に向けて綜絖枠１４の全幅に配置され、規制片１７が経糸２の間隔に入り込むようになっている。規制片１７のピッチは、綜絖４と同じピッチまたはミドルフック２３の幅寸法詳細にはミドルフック２３の両側の綜絖のピッチより小さく規制片１７のひとつの間隔に１本の経糸２が入る。これにより、ミドルフック２３近傍で、経糸２のピッチが他のピッチより広く形成されている領域において、経糸２のピッチを縮小する方向に規制している。
【００２５】
なお規制片１７は、ミドルフック２３の近傍のみに設けても良い。経糸補修時にはヘルドカバー１９に形成された長孔２１により経糸規制部材１２を下方向に移動させるか、またはねじ２０を外して経糸規制部材１２を取り外す。
【００２６】
図５は、ツインビームを備えた織機１に経糸規制部材１２を設けた例を示している。ここでツインビームとは、それぞれ軸方向に並べて配置された２つのワープビームから経糸シート（経糸）を独立して引き出し、各ワープビームの経糸シートを織り幅にあわせて合流させて言い換えると織幅全体に渡って延在する１つの経糸シートとし、１枚の織布を製織する製織方式をいう。２つのワープビーム２４から送出された２つの経糸シート２６（経糸２）は、ロール２５に案内されて綜絖枠２７手前で１つに合流し、綜絖枠２７を通過して１つの織布７となるが、経糸シート２６の合流部分（領域）は、経糸２のピッチが合流部分でない部分に比べて広くなってしまう。この場合は各ワープビーム２４のフランジにより、上記合流部分（領域）の経糸（２）のピッチが他のピッチより広く決定づけられる。そこで、経糸規制部材１２を経糸シート２６の合流部分に対応する位置に設けることで、経糸シート２６の合流部分の経糸２のピッチを縮小する方向に規制する。なお、本図では、経糸規制部材１２は、ワープビーム２４と綜絖枠２７との間に設けられているが、綜絖枠２７より巻取り側に取り付けても良い。
【００２７】
図６は、ツインビームを備えた織機１において、テンションピックアップ２８のガイド２９に対応する位置に経糸規制部材１２を設けた例を示している。２つのワープビーム２４から送出された２つの経糸シート２６（経糸２）は、ロール２５に案内されて綜絖枠２７手前で１つに合流し、綜絖枠２７を通過して１つの織布７となる。経糸シート２６を形成する経糸２のうち、合流側の所定の本数の経糸２は、経糸２のテンション検出のためにテンションピックアップ２８に通される。
【００２８】
図７はテンションピックアップ２８を巻取側からみた断面図、図８はテンションピックアップ２８の側面図である。所定の本数をテンションピックアップ２８に通す（区分けする）ため、テンションピックアップ２８にはガイド２９が設けられており、このガイド２９のためガイド２９の近傍の経糸２のピッチが、ガイド２９を通らない部分に比べて広くなってしまう。そこで、経糸規制部材１２をテンションピックアップ２８のガイド２９および経糸２６の合流部分（領域）に対応する位置に設けることで、経糸シート２６の合流部分（領域）の経糸２のピッチを縮小する方向に規制する。
【００２９】
図９は、水噴射式織機においてリードカーテン１１に経糸規制部材１２を経糸方向に回転可能に設けた例を示している。リードカーテン１１の下方に経糸規制部材１２を回転可能に取り付けることで、経糸２の補修時に経糸規制部材１２を前方に回転させてはね上げ保持すれば、容易に経糸２の補修ができる。
【００３０】
図１０、図１１は、経糸規制部材１２の取付位置の例を示している。図１０では、経糸規制部材１２を筬５の本体またはスレーのいずれかの送出側に取り付けている。この場合、経糸規制部材１２は筬と一緒に揺動運動する。図１１は、経糸規制部材１２を綜絖枠１４の第一番目の巻取り側に取り付けている。この場合、経糸規制部材１２は綜絖枠１４と一緒に上下運動することになる。
【００３１】
なお、複数の規制片１７は織幅に渡って設ければよく、緯入れ方向に対して所定角度をもって設けられてもよい。
【産業上の利用可能性】
【００３２】
本発明は、水噴射式の織機１、ツインビームを備えた織機１に限らず、広く織機全般に利用できる。また、経糸規制部材１２は、経糸２のピッチが広く形成されている領域に取り付ける他経糸２全幅に取り付けても良い。
【図面の簡単な説明】
【００３３】
【図１】経糸規制部材を備えた織機１の側面図である。
【図２】巻取側からみた綜絖枠１４の周辺の断面図を示している。
【図３】経糸規制部材を備えた織機１の側面図である。
【図４】巻取側からみた綜絖枠１４の周辺の断面図を示している。
【図５】ツインビームを備えた織機１の平面図である。
【図６】ツインビーム、テンションピックアップ２８を備えた織機１の平面図である。
【図７】テンションピックアップ２８を巻取側からみた断面図である。
【図８】テンションピックアップ２８の側面図である。
【図９】経糸規制部材を備えた織機１の側面図である。
【図１０】筬５の側面図である。
【図１１】綜絖枠１４の側面図である。
【符号の説明】
【００３４】
１  織機
２  経糸
３  緯糸
４  綜絖
５  筬
６  織り前
７  織布
８  ガイドローラ
９  織機フレーム
１０  レール
１０ａ  ストッパ
１１  リードカーテン
１２  経糸規制部材
１３  ねじ
１４  綜絖枠
１５  駆動ロッド
１６  ベース
１７  規制片
１８  センターステー
１９  ヘルドカバー
２０  ねじ
２１  長孔
２２  綜絖支持部材
２３  ミドルフック
２４  ワープビーム
２５  ロール
２６  経糸シート
２７  綜絖枠
２８  テンションピックアップ
２９  ガイド
【図１】
2006097200.tif 000003
【図２】
2006097200.tif 000004
【図３】
2006097200.tif 000005
【図４】
2006097200.tif 000006
【図５】
2006097200.tif 000007
【図６】
2006097200.tif 000008
【図７】
2006097200.tif 000009
【図８】
2006097200.tif 000010
【図９】
2006097200.tif 000011
【図１０】
2006097200.tif 000012
【図１１】
2006097200.tif 000013